(57)【要約】 【課題】  遮光部材の光電変換素子に対する配置姿勢にずれを生じさせることなくレンズを光軸周りに回転調整することができる画像読取ユニット、該画像読取ユニットを備える画像形成装置及び画像読取ユニットの組立方法を提供する。【解決手段】  原稿からの反射像をライン型光電変換素子２４に縮小結像させる二つのレンズ２６をそれぞれ保持する第一及び第二のレンズ鏡筒２７，２８をベース部材２１上に配置し、第一のレンズ鏡筒２７にレンズ２６のコサイン４乗則を補正するための遮光部材３２を設ける。【選択図】  図２
2006119481.tif 000002
【特許請求の範囲】
【請求項１】
原稿からの反射像をライン型光電変換素子に縮小結像させる少なくとも二つのレンズと、該各レンズをそれぞれ保持するレンズ鏡筒と、該各レンズ鏡筒及び前記ライン型光電変換素子が配置されるベース部材とを備え、いずれか一方の前記レンズ鏡筒には、前記レンズのコサイン４乗則を補正するための遮光部材が設けられていることを特徴とする画像読取ユニット。
【請求項２】
前記一方のレンズ鏡筒は樹脂製であり、前記遮光部材は、前記一方のレンズ鏡筒に一体成形されていることを特徴とする請求項１に記載の画像読取ユニット。
【請求項３】
前記遮光部材は、前記一方のレンズ鏡筒の光軸周りの回転姿勢の調整後、前記一方のレンズ鏡筒に固定されていることを特徴とする請求項１に記載の画像読取ユニット。
【請求項４】
請求項１から請求項３のいずれか一項に記載の画像読取ユニットを備えることを特徴とするスキャナ装置。
【請求項５】
ハウジングを備えるスキャナ装置であって、前記ハウジングの一部が前記ベース部材で構成されていることを特徴とする請求項４に記載のスキャナ装置。
【請求項６】
請求項１から請求項５のいずれか一項に記載の画像読取ユニットを備えることを特徴とする画像形成装置。
【請求項７】
原稿からの反射像をライン型光電変換素子に縮小結像させる少なくとも二つのレンズと、該各レンズをそれぞれ保持するレンズ鏡筒と、該各レンズ鏡筒及び前記ライン型光電変換素子が配置されるベース部材とを備え、一方のレンズ鏡筒に、前記レンズのコサイン４乗則を補正するための遮光部材が固定されている画像読取ユニットの組立方法であって、前記一方のレンズ鏡筒の位置を決めた後、前記ライン型光電変換素子への結像の収差を補正するために、他方のレンズ鏡筒を光軸の周りに回転させ、その後、該他方のレンズ鏡筒を前記ベース部材に固定することを特徴とする画像読取ユニットの組立方法。
【請求項８】
原稿からの反射像をライン型光電変換素子に縮小結像させる少なくとも二つのレンズと、該各レンズをそれぞれ保持するレンズ鏡筒と、該各レンズ鏡筒及び前記ライン型光電変換素子が配置されるベース部材とを備え、一方のレンズ鏡筒に、前記レンズのコサイン４乗則を補正するための窓孔を有する遮光部材が前記レンズの光軸周りに回転可能に保持されている画像読取ユニットの組立方法であって、前記一方のレンズ鏡筒に設けられた前記遮光部材の前記ライン型光電変換素子に対する回転姿勢を調整した後、前記ライン型光電変換素子への結像の収差を補正するために、前記両レンズ鏡筒のうちの少なくとも前記遮光部材が設けられた前記一方のレンズ鏡筒を前記遮光部材の前記ライン型光電変換素子に対する回転姿勢を保持して光軸の周りに回転させた後、前記各レンズ鏡筒をそれぞれ前記ベース部材に固定し、その後、前記遮光部材を前記一方のレンズ鏡筒に固定することを特徴とする画像読取ユニットの組立方法。
【発明の詳細な説明】
【技術分野】
【０００１】
本発明は、複写機、ファクシミリ機及びスキャナ装置等に使用される画像読取ユニット、該画像読取ユニットを備える画像形成装置及び画像読取ユニットの組立方法に関する。
【背景技術】
【０００２】
従来、複写機、ファクシミリ機及びスキャナ装置等に設けられ、原稿からその画像を読取るための画像読取ユニットが知られている（例えば、特許文献１参照。）。
【０００３】
画像読取ユニットは、縮小光学系を有する。この縮小光学系は、原稿からの反射像を相互に直列に配置された複数のレンズを通してライン型の光電変換素子に縮小して結像させる。この縮小結像された反射像は、光電変換素子で電気信号に変換される。各レンズ及び光電変換素子はそれぞれ板状のベース部材上に設けられている。
【０００４】
レンズを通過して光電変換素子に入射する光の光量は、光電変換素子への光の入射位置が光軸から離れるに伴ってコサイン４乗則に従って減少する。このレンズのコサイン４乗則に従う光軸の周辺光量の減少を修正するために、ベース部材上に、レンズの光軸上にシェーディング補正を行うための遮光部材が各レンズと独立して設けられている。この遮光部材は、各レンズ及び光電変換素子のそれぞれに対する適正な姿勢となるように調整される。
【０００５】
すなわち、画像読取ユニットの組立時、光電変換素子をベース部材上に配置し、遮光部材を光電変換素子に対して適正な姿勢となるようにベース部材上に配置する。更に、各レンズを予め設定された仮想光軸に一致するようにベース部材上で光電変換素子と遮光部材との間にそれぞれ配置し、光軸に沿ったＺ軸、ベース部材を含む平面上でＺ軸に直角に交わるＸ軸及びベース部材の板厚方向に沿ったＹ軸の各軸に沿って各レンズをそれぞれ移動させることにより、また、Ｘ軸及びＹ軸の周りに各レンズをそれぞれ回転させることにより、各レンズの光軸を仮想光軸に一致させる調整を行っている。この各レンズの調整後、各レンズの光軸周りの回転方向に対する結像性能のばらつきによる光電変換素子への結像の収差を補正するために、各レンズをそれぞれＺ軸すなわち光軸の周りに回転させる。
【０００６】
しかしながら、各レンズと遮光部材とがそれぞれ独立してベース部材上に配置されているので、各レンズの光電変換素子に対する調整時に各レンズと遮光部材との相対位置がずれることがある。このため、遮光部材による適正なシェーディング効果を得ることができないことがある。従って、各レンズと遮光部材との相対位置のずれを修正するために、遮光部材の配置姿勢を再び調整し直す必要があり、画像読取ユニットの組み立てに時間がかかる。
【０００７】
そこで、レンズ鏡筒内に各レンズを収容し、レンズ鏡筒の端部に遮光部材を設け、このレンズ鏡等をベース部材上に配置する構成が提案されている。このものによれば、各レンズと遮光部材とが一体的にレンズ鏡筒に設けられているので、各レンズの軸合わせ時に各レンズをＸ軸、Ｙ軸及びＺ軸に沿って移動させるという調整、または、Ｘ軸及びＹ軸の周りに回転させる調整を行ったときでも、各レンズと遮光部材との相対位置にずれが生じることを防止することができる。
【特許文献１】特開２００２−１０１２６３号（第４−６頁、図１）
【発明の開示】
【発明が解決しようとする課題】
【０００８】
しかしながら、光電変換阻止に対するレンズの適正な姿勢と光電変換阻止に対する遮光部材の姿勢とは必ずしも一致しないので、各レンズと遮光部材とを一体的にレンズ鏡筒に設けた構成とした場合、光電変換素子への結像の収差を補正するために各レンズをそれぞれ光軸の周りに回転させると、遮光部材が各レンズと一体に光軸の周りに回転してしまう。このため、光電変換素子に対する遮光部材の姿勢が適正な姿勢からずれてしまう。逆に、光電変換素子に対する遮光部材の姿勢を調整すべく遮光部材を光軸の周りに回転させると、各レンズが遮光部材と一体に光軸の周りに回転するため、光電変換素子に対する各レンズの姿勢が適正な姿勢からずれてしまうという問題がある。
【０００９】
本発明の目的は、遮光部材をレンズ鏡筒にレンズと一体的に設けた場合であっても、遮光部材の光電変換素子に対する姿勢を適正な姿勢に保持した状態で光電変換素子への結像の収差を補正するためにレンズを光軸周りに回転調整することができる画像読取ユニット、該画像読取ユニットを備える画像形成装置及び画像読取ユニットの組立方法を提供することにある。
【課題を解決するための手段】
【００１０】
上記課題を解決するために、請求項１に記載の発明は、原稿からの反射像をライン型光電変換素子に縮小結像させる少なくとも二つのレンズと、該各レンズをそれぞれ保持するレンズ鏡筒と、該各レンズ鏡筒及び前記ライン型光電変換素子が配置されるベース部材とを備え、いずれか一方の前記レンズ鏡筒には、前記レンズのコサイン４乗則を補正するための遮光部材が設けられていることを特徴とする。
【００１１】
請求項２に記載の発明は、請求項１に記載の発明において、前記一方のレンズ鏡筒は樹脂製であり、前記遮光部材は、前記一方のレンズ鏡筒に一体成形されていることを特徴とする請求項１に記載の画像読取ユニット。
【００１２】
請求項３に記載の発明は、請求項１に記載の発明において、前記遮光部材は、前記一方のレンズ鏡筒の光軸周りの回転姿勢の調整後、前記一方のレンズ鏡筒に固定されていることを特徴とする。
【００１３】
請求項４に記載の発明は、スキャナ装置であって、請求項１から請求項３のいずれか一項に記載の画像読取ユニットを備えることを特徴とする。
【００１４】
請求項５に記載の発明は、請求項４に記載の発明において、ハウジングを備えるスキャナ装置であって、前記ハウジングの一部が前記ベース部材で構成されていることを特徴とする。
【００１５】
請求項６に記載の発明は、画像形成装置であって、請求項１から請求項５に記載のいずれか一項に記載の画像読取ユニットを備えることを特徴とする。
【００１６】
請求項７に記載の発明は、原稿からの反射像をライン型光電変換素子に縮小結像させる少なくとも二つのレンズと、該各レンズをそれぞれ保持するレンズ鏡筒と、該各レンズ鏡筒及び前記ライン型光電変換素子が配置されるベース部材とを備え、一方のレンズ鏡筒に、前記レンズのコサイン４乗則を補正するための遮光部材が固定されている画像読取ユニットの組立方法であって、前記一方のレンズ鏡筒の位置を決めた後、前記ライン型光電変換素子への結像の収差を補正するために、他方のレンズ鏡筒を光軸の周りに回転させ、その後、該他方のレンズ鏡筒を前記ベース部材に固定することを特徴とする。
【００１７】
請求項８に記載の発明は、  原稿からの反射像をライン型光電変換素子に縮小結像させる少なくとも二つのレンズと、該各レンズをそれぞれ保持するレンズ鏡筒と、該各レンズ鏡筒及び前記ライン型光電変換素子が配置されるベース部材とを備え、一方のレンズ鏡筒に、前記レンズのコサイン４乗則を補正するための窓孔を有する遮光部材が前記レンズの光軸周りに回転可能に保持されている画像読取ユニットの組立方法であって、前記一方のレンズ鏡筒に設けられた前記遮光部材の前記ライン型光電変換素子に対する回転姿勢を調整した後、前記ライン型光電変換素子への結像の収差を補正するために、前記両レンズ鏡筒のうちの少なくとも前記遮光部材が設けられた前記一方のレンズ鏡筒を前記遮光部材の前記ライン型光電変換素子に対する回転姿勢を保持して光軸の周りに回転させた後、前記各レンズ鏡筒をそれぞれ前記ベース部材に固定し、その後、前記遮光部材を前記一方のレンズ鏡筒に固定することを特徴とする。
【発明の効果】
【００１８】
請求項１に記載の構成及び請求項７に記載の方法によれば、各レンズがそれぞれ別々のレンズ鏡筒に保持されており、遮光部材が一方のレンズ鏡筒に一体形成されていることから、画像読取ユニットの組立時、各レンズの光軸周りの回転方向に対する結像性能のばらつきによるライン型光電変換素子への結像の収差を補正するときに、遮光部材が一体形成された一方のレンズ鏡筒を光軸の周りに回転させることなく他方のレンズ鏡筒を光軸の周りに回転させることができる。これにより、遮光部材のライン型光電変換素子に対する適正な姿勢を保持した状態で他方のレンズ鏡筒を光軸周りに回転させることができることから、遮光部材のライン型光電変換素子に対する姿勢が適正な姿勢からずれることによるシェーディング効果の低下を招くことなくライン型光電変換素子への結像の収差を確実に補正することができる。
【００１９】
請求項２に記載の構成によれば、遮光部材が一方のレンズ鏡筒に一体形成されていることから、画像読取ユニットの部品点数を削減することができ、また、画像読取ユニットの組立工数の削減を図ることができる。
【００２０】
請求項１及び請求項３に記載の構成と請求項８に記載の方法とによれば、各レンズがそれぞれ別々のレンズ鏡筒に保持されており、遮光部材がその光軸周りに回転可能に一方のレンズ鏡筒に保持されていることから、画像読取ユニットの組立時、各レンズの光軸周りの回転方向に対する結像性能のばらつきによるライン型光電変換素子への結像の収差を補正するときに、一方のレンズ鏡筒に設けられた遮光部材を光軸の周りに回転させることなく各レンズ鏡筒をそれぞれ光軸の周りに回転させることができる。これにより、遮光部材のライン型光電変換素子に対する適正な回転姿勢を保持した状態で各レンズ鏡筒をそれぞれ光軸周りに回転調整することができることから、遮光部材のライン型光電変換素子に対する回転姿勢が適正な回転姿勢からずれることによるシェーディング効果の低下を招くことなくライン型光電変換素子への結像の収差を確実に小さくすることができる。
【００２１】
従って、各レンズ鏡筒をそれぞれ光軸周りに回転調整することができることから、一方のレンズ鏡筒を光軸周りに回転させる場合に比べてより細かい調整を行うことができるので、ライン型光電変換素子への結像の収差をより小さくすることができる。
【００２２】
請求項４に記載の構成によれば、本発明に係る画像読取ユニットをスキャナ装置に用いることにより、高品質な画像読取が可能なスキャナ装置を提供することができる。
【００２３】
請求項５に記載の構成によれば、スキャナ装置のハウジングの一部をベース部材で構成することにより、スキャナ装置の組立工数の削減を図ることができ、また、高品質な画像読取が可能なスキャナ装置を提供することができる。
【００２４】
請求項６に記載の構成によれば、画像読取ユニットを画像形成装置に用いることにより、高品質な画像読取が可能な画像形成装置を提供することができる。
【発明を実施するための最良の形態】
【００２５】
以下、本発明を図示の実施例に沿って説明する。
【実施例】
【００２６】
＜実施例１＞
図１は、本発明に係る画像読取ユニット１０をスキャナ装置１１に適用した例を示す。
【００２７】
本発明に係るスキャナ装置１１は、矩形の底壁１２及び該底壁の各縁部から立ち上がる四つの側壁１３を有するハウジング１４と、該ハウジングの各側壁１３によって規定される上端開口を塞ぐように配置され、読み取り対象である図示しない原稿を載置するためのコンタクトガラス１５とを備える。
【００２８】
ハウジング１４内には、該ハウジングの長手方向に沿ったＺ軸を横切るＸ軸に沿って伸びる第一の走行体１６及び第二の走行体１７がそれぞれＺ軸方向に互いに間隔をおいて配置されている。第一及び第二の両走行体１６，１７は、それぞれＺ軸に沿って互いに同一方向へ移動可能である。また、ハウジング１４内には、前記した画像読取ユニット１０が底壁１２上に設けられている。
【００２９】
第一の走行体１６には、該第一の走行体の伸長方向に沿って伸び、前記原稿をＸ軸に沿って線状に照明する図示しない光源と、該光源により照明された前記原稿から反射する反射像を第二の走行体１７へ向けて反射させる第一のミラー１８とが設けられている。
【００３０】
第二の走行体１７には、第一のミラー１８からの反射像を上下方向下方へ反射させる第二のミラー１９と、該第二のミラーからの反射像を画像読取ユニット１０の後述するライン型光電変換素子２４へ向けて反射させる第三のミラー２０とが設けられている。第二の走行体１７は、従来よく知られているように、前記原稿から前記ライン型光電変換素子２４に至る光路長が常に一定に保たれるように、第一の走行体１６の速度の半分の速度で走行する。これにより、前記原稿からの反射像を一定の倍率でライン型光電変換素子２４に結像させることができる。
【００３１】
第一及び第二の両走行体１６，１７のハウジング１４の長手方向に沿った走査により、コンタクトガラス１５上に載置された前記原稿の所定の範囲が前記光源によって線状に順次照明される。前記原稿から反射した反射像は、第一のミラー１８、第二のミラー１９及び第三のミラー２０に順次反射してライン型光電変換素子２４に入射し、該ライン型光電変換素子で一ライン毎に電気信号に変換され、原稿画像情報として出力される。
【００３２】
本発明に係る画像読取ユニット１０は、図２に示すように、スキャナ装置１１の底壁１２に取り付けられる板状のベース部材２１と、該ベース部材の縁部２１ａから立ち上がる撮像部２２とを備える。
【００３３】
撮像部２２は、下端でベース部材２１の縁部２１ａに保持部材２３を介して固定される支持板２２ａと、該支持板に設けられ、第三のミラー２０から反射してくる反射像を一ラインずつ読み取って電気信号に変換するための線状の前記したライン型光電変換素子２４とを備える。支持板２２ａは、例えば接着剤を用いることにより、保持部材２３を介してベース部材２１に固定される。ライン型光電変換素子２４は、図示の例では、Ｒ（レッド）、Ｇ（グリーン）及びＢ（ブルー）の三本の光電変換素子で構成されており、それぞれの長手方向をＸ軸に一致させて配置されている。
【００３４】
更に、画像読取ユニット１０は、第二の走行体１７に設けられた第三のミラー２０からの反射像を縮小してライン型光電変換素子２４に結像するための結像レンズ系２５を備える。結像レンズ系２５は、複数のレンズ２６（図３参照。）と、両端が開放し、内部に各レンズ２６を保持するための二つのレンズ鏡筒２７，２８とで構成されている。
【００３５】
各レンズ鏡筒２７，２８は、図示の例では、それぞれ合成樹脂で成形された円筒体からなる。各レンズ鏡筒２７，２８内には、図３に示す例では、それぞれ二つのレンズ２６が互いに各レンズ鏡筒２７，２８の軸線方向に間隔をおき且つそれぞれの光軸を各レンズ鏡筒２７，２８の軸線に一致させて嵌合されている（図３には、一方のレンズ鏡筒２７が示されている。）。各レンズ２６は、図示の例では、それぞれ複数のレンズを互いに貼り合わせた張り合わせレンズのような従来よく知られたレンズ群で構成されている。
【００３６】
各レンズ鏡筒２７，２８は、図２に示すように、それぞれの軸線すなわち各レンズ鏡筒２７，２８内に嵌合された各レンズ２６の光軸を互いに一致させ且つ各レンズ２６の光軸がライン型光電変換素子２４の中央に位置するように相互に間隔をおいてベース部材２１上に配置されている。各レンズ鏡筒２７，２８は、図示の例では、それぞれ該各レンズ鏡筒２７，２８の外周面２７ａ，２８ａに両側から当接する一対の保持部材２９を介してベース部材２１に保持されている。
【００３７】
保持部材２９は、図示の例では、それぞれ紫外線透過型樹脂で形成されており、ベース部材２１に取り付けられる基底板部３０と、該基底板部の縁部から各レンズ鏡筒２７，２８の外周面２７ａ，２８ａに当接するように立ち上がる起立板部３１とを有する。各基底板部３０及び各起立板部３１は、後述する紫外線硬化型の接着剤により、それぞれベース部材２１及び各レンズ鏡筒２７，２８の外周面２７ａ，２８ａに接着されている。これにより、各レンズ鏡筒２７，２８は、各保持部材２９を介してベース部材２１に固定されている。
【００３８】
図示の例では、二つのレンズ鏡筒２７，２８のうち、前記原稿からライン型光電変換素子２４に至る光路の上流側に位置する第一のレンズ鏡筒２７には、該第一のレンズ鏡筒内への反射像の入射側の開口部２７ｂにシェーディング補正をするための遮光部材３２が設けられている。
【００３９】
遮光部材３２は、円形をなしており、本実施例では、第一のレンズ鏡筒２７に固定的に一体成形されている。遮光部材３２には、第三のミラー２０からの光量を補正するための窓孔３３が形成されている。窓孔３３は、ライン型光電変換素子２４に平行に伸びており、図示の例では、窓孔３３の中央部における上下幅が該窓孔の両端部における上下幅に比べて小さくなるように形成されている。これにより、遮光部材３２の中心部に照射される光すなわち各レンズ２６の光軸上の光の遮光部材３２による遮蔽量は、該遮光部材の両端部に照射される光の遮蔽量に比べて多くなる。この遮光部材３２のシェーディング機能により、各レンズ２６のコサイン４乗則に従う周辺光量の減少が修正され、これにより、各レンズ２６を通過してライン型光電変換素子２４に入射する光量が均一になる。
【００４０】
本発明に係る画像読取ユニット１０の組立方法について説明する。
【００４１】
画像読取ユニット１０の組立では、先ず、スキャナ装置１１のハウジングの１４の底壁１２に配置されたベース部材２１上に各レンズ２６の仮想光軸を設定する。次に、ライン型光電変換素子２４の伸長方向の中央部が仮想光軸上に位置するように、ライン型光電変換素子２４が設けられた支持板２２ａをベース部材２１の縁部２１ａに保持部材２３を介して固定する。また、光軸が各レンズ鏡筒２７，２８の軸線に一致するように各レンズ２６を各レンズ鏡筒２７，２８内にそれぞれ嵌合することにより結像レンズ系２５を形成し、各レンズ鏡筒２７，２８の軸線すなわち各レンズ２６の光軸が仮想光軸にほぼ沿うように各レンズ鏡筒２７，２８をベース部材２１上に配置する。このベース部材２１への各レンズ鏡筒２７，２８の配置には、例えば図示しない組立ロボットが用いられる。
【００４２】
その後、第一のレンズ鏡筒２７の軸合わせをベース部材２１上で行う。すなわち、第一のレンズ鏡筒２７内の各レンズ２６の光軸が仮想光軸に一致するように、第一のレンズ鏡筒２７を光軸に沿ったＺ軸、ベース部材２１を含む平面上でＺ軸に直角に交わるＸ軸及びベース部材２１の板厚方向に沿ったＹ軸の各軸に沿って移動させ、また、Ｘ軸の周り（図２のα方向である。）及びＹ軸の周り（図２のβ方向である。）に回転させる。
【００４３】
第一のレンズ鏡筒２７の軸合わせを行った後、第一のレンズ鏡筒２７に固定的に一体成形された遮光部材３２の窓孔３３の伸長方向がライン型光電変換素子２４の伸長方向に一致するように第一のレンズ鏡筒２７をＺ軸の周り（図２のγ方向である。）すなわち光軸の周りに回転させる。これにより、遮光部材３２のシェーディング補正を適正に行うことができる。この遮光部材３２の回転姿勢の調整と第一のレンズ鏡筒２７の軸合わせとを同時に行うことができる。
【００４４】
また、他方のレンズ鏡筒２８である第二のレンズ鏡筒２８内に嵌合された各レンズ２６の光軸が仮想光軸に一致するように、第二のレンズ鏡筒２８を、第一のレンズ鏡筒２７と同様に、ベース部材２１上でＸ軸、Ｙ軸及びＺ軸に沿って移動させ、また、α方向及びβ方向へ回転させる。
【００４５】
第一及び第二の両レンズ鏡筒２７，２８の軸合わせを行った後、図４に示すように、各レンズ２６の光軸周りの回転方向の結像性能のばらつきによるライン型光電変換素子２４への結像の収差が最も小さくなる領域Ｒがライン型光電変換素子２４に平行になるように、第二のレンズ鏡筒２８を光軸の周りに回転させる。第一のレンズ鏡筒２７及び第二のレンズ鏡筒２８は互いに別体に形成されていることから、第二のレンズ鏡筒２８の光軸周りの回転時に、該第二のレンズ鏡筒の光軸周りの回転に伴って第一のレンズ鏡筒２７が光軸の周りに回転することはない。従って、第二のレンズ鏡筒２８の光軸周りの回転時に、第一のレンズ鏡筒２７に固定的に一体形成された遮光部材３２の回転姿勢が適正な回転姿勢からずれることはない。ライン型光電変換素子２４への結像の収差が規格内であるか否かは、ライン型光電変換素子２４から出力された画像信号を図示しない信号処理回路を用いて処理し、評価することにより行う。これにより、第一及び第二の両レンズ鏡筒２７，２８の調整作業が終了する。
【００４６】
その後、調整作業が終了した第一及び第二の両レンズ鏡筒２７，２８をそれぞれ一対の保持部材２９でベース部材２１に固定する。各レンズ鏡筒２７，２８をベース部材２１に固定するために、各保持部材２９の各基底板部３０及び各起立板部３１にそれぞれ前記した紫外線硬化型接着剤を塗布し、各起立板部３１及び各基底板部３０がそれぞれ各レンズ鏡筒２７，２８の外周面２７ａ，２８ａ及びベース部材２１に当接するように各保持部材２９を配置する。この状態で、図示しない紫外線照射装置を用いて各保持部材２９に紫外線を照射することにより、各保持部材２９に塗布された前記紫外線硬化型接着剤を硬化させ、これにより、各保持部材２９を各レンズ鏡筒２７，２８及びベース部材２１に接着する。各保持部材２９のベース部材２１及び各レンズ鏡筒２７，２８への接着に前記した紫外線硬化型接着剤以外の接着剤を用いることができるが、位置調整した各レンズ鏡筒２７，２８の姿勢をずらすことなく迅速に該各レンズ鏡筒をベース部材２１に接着するには、前記紫外線硬化型接着剤を用いることが望ましい。
【００４７】
この各保持部材２９の接着により、各レンズ鏡筒２７，２８は、それぞれ適正なシェーディング補正をすることができ且つライン型光電変換素子２４への結像の収差を最も小さくすることができる姿勢で各保持部材２９を介してベース部材２１に固定される。これにより、画像読取ユニット１０の組み立てが終了する。
【００４８】
本実施例によれば、前記したように、第一のレンズ鏡筒２７にレンズ２６のコサイン４乗則を補正するための遮光部材３２が固定的に一体形成されていることから、第一のレンズ鏡筒２７内に収容された各レンズ２６の軸合わせ時に、遮光部材３２が従来と同様に各レンズ２６と一体的に移動するため、各レンズ２６と遮光部材３２との相対位置にずれが生じることはない。これにより、各レンズ２６の軸合わせ時に遮光部材３２の回転姿勢を各レンズ２６の移動及び軸合わせのための回転に応じて調整し直す必要がないので、従来のような画像読取ユニット１０の組み立て工数の増加を招くことを確実に防止することができる。
【００４９】
また、前記したように、各レンズ２６がそれぞれ別々のレンズ鏡筒２７，２８に保持されていることから、ライン型光電変換素子２４への結像の収差の補正時、遮光部材３２が固定的に一体成形された第一のレンズ鏡筒２７を光軸の周りに回転させることなく第二のレンズ鏡筒２８を光軸の周りに回転させることができる。これにより、遮光部材３２のライン型光電変換素子２４に対する適正な姿勢を保持した状態で第二のレンズ鏡筒２８を光軸周りに回転させることができることから、遮光部材３２のライン型光電変換素子２４に対する姿勢が適正な姿勢からずれることによるシェーディング効果の低下を招くことなくライン型光電変換素子２４への結像の収差を確実に小さくすることができる。
【００５０】
従って、遮光部材３２のライン型光電変換素子２４に対する回転姿勢にずれを生じさせることなくレンズ２６を光軸周りに回転調整することができる画像読取ユニット１０及び該画像読取ユニットを備えるスキャナ装置１１を得ることができる。
【００５１】
更に、前記したように、各レンズ鏡筒２７，２８が合成樹脂で成形されており、二つに分割されていることから、全レンズ２６が嵌合された従来のレンズ鏡筒に比べて、レンズ鏡筒の軽量化を図ることができる。また、遮光部材３２が第一のレンズ鏡筒２７に固定的に一体形成されていることから、画像読取ユニット１０の部品点数を削減することができ、また、画像読取ユニット１０の組立工数の削減を図ることができる。
【００５２】
＜実施例２＞
実施例１では、前記したように、シェーディング補正をするための遮光部材３２が第一のレンズ鏡筒２７に固定的に一体成形された例を示したが、これに代えて、遮光部材３２を各レンズ２６の光軸周りの回転姿勢が調整可能に第一のレンズ鏡筒２７に保持し、遮光部材３２のライン型光電変換素子２４に対する回転姿勢を調整した後、遮光部材３２を第一のレンズ鏡筒２７に固定することができる。
【００５３】
遮光部材３２には、図５に示すように、第一のレンズ鏡筒２７の開口部２７ｂ内への嵌合を許す環状の嵌合部３２ａが形成されている。また、遮光部材３２には、実施例１で説明したのと同様な窓孔３３が形成されている。遮光部材３２は、その嵌合部３２ａを介して第一のレンズ鏡筒２７に回転可能に支持されている。
【００５４】
この画像読取ユニット１０の組立てでは、実施例１と同様に、ライン型光電変換素子２４が設けられた支持板２２ａをベース部材２１に固定し、その後、各レンズ２６が嵌合された第一及び第二の両レンズ鏡筒２７，２８を各レンズ２６の光軸がベース部材２１上に設定された仮想光軸にほぼ沿うように前記した組立ロボットを用いてベース部材２１上に配置する。
【００５５】
次に、実施例１と同様に、各レンズ鏡筒２７，２８をそれぞれ前記したＸ軸、Ｙ軸及びＺ軸に沿って移動させることにより、また、Ｘ軸及びＹ軸の周りに回転させることにより、第一及び第二の両レンズ鏡筒２７，２８の軸合わせを行う。
【００５６】
各レンズ鏡筒２７，２８の軸合わせを行った後、遮光部材３２によるシェーディング補正を適正に行うことができるように遮光部材３２の回転姿勢の調整を行う。すなわち、遮光部材３２に形成された窓孔３３の伸長方向がライン型光電変換素子２４の伸長方向と一致するように、第一のレンズ鏡筒２７の姿勢を保持して遮光部材３２を図２のＺ軸の周りすなわち各レンズ２６の光軸の周りに回転させる。
【００５７】
その後、実施例１におけると同様に、第二のレンズ鏡筒２８内の各レンズ２６の光軸周りの回転方向に対する結像性能のばらつきによるライン型光電変換素子２４への結像の収差が最も小さくなる領域Ｒがライン型光電変換素子２４に平行になるように、第一のレンズ鏡筒２７の姿勢及び遮光部材３２の適正な回転姿勢を保持して第二のレンズ鏡筒２８を光軸の周りに回転させる。第一のレンズ鏡筒２７及び第二のレンズ鏡筒２８は互いに別体に形成されていることから、第二のレンズ鏡筒２８の光軸周りの回転により第一のレンズ鏡筒２７及び遮光部材３２が光軸の周りに回転することはない。
【００５８】
また、第二のレンズ鏡筒２８を光軸周りに回転させることに代えて、遮光部材３２の適正な回転姿勢を保持して第一のレンズ鏡筒２７を光軸の周りに回転させることができる。遮光部材３２の適正な回転姿勢を保持して第一のレンズ鏡筒２７を回転させることから、第一のレンズ鏡筒２７の光軸周りの回転により遮光部材３２の回転姿勢が適正な回転姿勢からずれることはない。
【００５９】
更に、第一及び第二の両レンズ鏡筒２７，２８を光軸の周りに回転させることができる。これにより、両レンズ鏡筒２７，２８のいずれか一方を光軸の周りに回転させることに比べて、ライン型光電変換素子２４への結像の収差の補正をより細かく行うことができる。
【００６０】
ライン型光電変換素子２４への結像の収差が規格内であるか否かは、実施例１と同様に、ライン型光電変換素子２４から出力された画像信号を図示しない信号処理回路を用いて処理し、評価することにより行う。これにより、第一のレンズ鏡筒２７、第二の両レンズ鏡筒２８及び遮光部材３２の調整作業が終了する。
【００６１】
その後、遮光部材３２を、例えば前記した紫外線硬化型接着剤を用いることにより、第一のレンズ鏡筒２７にライン型光電変換素子２４に対する適正な回転姿勢で固定する。また、各レンズ鏡筒２７，２８を、実施例１と同様に、それぞれ紫外線硬化型接着剤を用いることにより一対の保持部材２９を介してベース部材２１に固定し、これにより、画像読取ユニット１０の組み立てが終了する。
【００６２】
本実施例によれば、実施例１におけると同様に、第一のレンズ鏡筒２７にレンズ２６のコサイン４乗則を補正するための遮光部材３２が設けられていることから、各レンズ２６の軸合わせ時に遮光部材３２の回転姿勢を各レンズ２６の移動及び軸合わせのための回転に応じて調整し直す必要がないので、従来のような画像読取ユニット１０の組み立て工数の増加を招くことを確実に防止することができる。
【００６３】
また、前記したように、遮光部材３２が各レンズ２６の光軸周りの回転姿勢を調整可能に第一のレンズ鏡筒２７に保持されていることから、ライン型光電変換素子２４への結像の収差の調整時、第一のレンズ鏡筒２７に設けられた遮光部材３２を光軸の周りに回転させることなく第一及び第二の各レンズ鏡筒２７，２８をそれぞれ光軸の周りに回転させることができる。これにより、遮光部材３２のライン型光電変換素子２４に対する適正な回転姿勢を保持した状態で各レンズ鏡筒２７，２８をそれぞれ光軸周りに回転させることができることから、遮光部材３２のライン型光電変換素子２４に対する回転姿勢が適正な回転姿勢からずれることによるシェーディング効果の低下を招くことなくライン型光電変換素子２４への結像の収差を確実に小さくすることができる。
【００６４】
また、前記したように、両レンズ鏡筒２７，２８を光軸周りに回転調整することができることから、実施例１のように第二のレンズ鏡筒２８のみを光軸周りに回転させる場合に比べてより細かく補正することができる。これにより、ライン型光電変換素子２４への結像の収差をより小さくすることができる。
【００６５】
＜実施例３＞
実施例１及び実施例２では、本発明に係る画像読取ユニット１０をスキャナ装置１１に用いた例を示したが、これに代えて、本発明に係る画像読取ユニット１０を、図６に示すように、画像形成装置３４である複写機３４に用いることができる。
【００６６】
本発明に係る複写機３４は、複写対象である図示しない原稿を読み取るためのスキャナ部３５と、印刷用の用紙３６が収納される複数の用紙収納部３７と、該各用紙収納部から用紙３６を供給すべく作動する給紙部３８と、該給紙部によって供給される用紙３６に画像読取ユニット１０からの画像信号に基づいてトナー画像を形成する画像形成部３９と、トナー画像を用紙３６に定着させるための定着部４０と、該定着部でトナー像が定着された用紙３６を排出する排紙部４１とを備える。
【００６７】
スキャナ部３５には、実施例１で図２に沿って説明したと同様に、内部にレンズ２６（図３参照。）が嵌合された第一のレンズ鏡筒２７及び第二のレンズ鏡筒２８と、第一のレンズ鏡筒２７に固定的に一体成形され、シェーディング補正するための遮光部材３２と、ライン型光電変換素子２４とを備える画像読取ユニット１０が用いられている。遮光部材３２には、実施例１と同様に、ライン型光電変換素子２４に平行に伸びる窓孔３３（図２参照。）が形成されている。スキャナ部３５には、第一のレンズ鏡筒２７に回転可能に設けられた実施例２の遮光部材３２を備える画像読取ユニット１０を用いることができる。
【００６８】
スキャナ部３５の画像読取ユニット１０は、スキャナ部３５のコンタクトガラス１５上に載置された前記原稿からの反射像を画像読取ユニット１０の第一及び第二の両レンズ鏡筒２７，２８により縮小してライン型光電変換素子２４に結像させ、該ライン型光電変換素子で電気信号に変換する。画像形成部３９は、従来よく知られているように、スキャナ部３５からの画像情報に基づいて、感光体ドラム４２の表面にトナー画像を形成し、感光体ドラム４２の表面に形成されたトナー画像を用紙収納部３７から給紙部３８によって給紙される用紙３６に転写ローラ４３で転写し、定着部４０へ搬送する。定着部４０は、画像形成部３９から搬送された用紙３６上の未定着トナー画像を定着ローラ４４と加圧ローラ４５との間で加熱及び加圧することにより、トナー画像を用紙３６に定着させる。トナー画像が定着した用紙３６は、排紙部４１により、複写機３４のハウジング４６に形成された排紙口４７からハウジング４６の外側に設けられたトレイ４８に排出される。
【００６９】
本実施例によれば、本発明に係る画像読取ユニット１０を画像形成装置３４に適用することにより、実施例１又は実施例２と同様の組立てによってライン型光電変換素子２４に対する遮光部材３２の回転姿勢にずれを生じさせることなくレンズ２６を光軸周りに回転調整することができる画像読取ユニット１０を備える画像形成装置３４を得ることができる。
【００７０】
実施例１乃至実施例３では、スキャナ装置１１のハウジング１４の底壁１２上に、第一のレンズ鏡筒２７、第二のレンズ鏡筒２８及びライン型光電変換素子２４が設けられたベース部材２１を固定した例を示したが、これに代えて、底壁１２の一部をベース部材２１で構成し、第一のレンズ鏡筒２７、第二のレンズ鏡筒２８及びライン型光電変換素子２４をそれぞれ底壁１２に直接固定することができる。これにより、スキャナ装置１１の部品点数が削減されるので、スキャナ装置１１の組立工数の削減を図ることができる。
【００７１】
また、実施例１乃至実施例３では、各レンズ鏡筒２７，２８内にそれぞれ二つのレンズ群（２６）が嵌合されている例を示したが、これに代えて、各レンズ鏡筒２７，２８の内部にそれぞれ一つのレンズ群（２６）又は三つ以上のレンズ群（２６）を嵌合することができる。また、各レンズ２６にレンズ群を用いた例を示したが、これに代えて、これら各レンズ群の全て又はその任意のレンズ群を単一のレンズで構成することができる。
【００７２】
更に、遮光部材３２が第一のレンズ鏡筒２７の該レンズ鏡筒内への光の入射側の開口部２７ｂに設けられた例を示したが、これに代えて、例えば第一のレンズ鏡筒２７の該レンズ鏡筒内からの光の出射側の開口部、または、第二のレンズ鏡筒２８の各開口部に遮光部材３２を設けることができる。
【図面の簡単な説明】
【００７３】
【図１】本発明に係るスキャナ装置を概略的に示す分解斜視図である。
【図２】本発明に係る画像読取ユニットを概略的に示す斜視図である。
【図３】本発明に係るレンズ鏡筒を概略的に示す縦断面図である。
【図４】本発明に係るレンズとライン型光電変換素子との関係を概略的に示す正面図である。
【図５】実施例２に係る遮光部材がレンズ鏡筒に回転可能に保持された状態を概略的に示す縦断面図である。
【図６】実施例３に係る複写機を概略的に示す透視図である。
【符号の説明】
【００７４】
２４  ライン型光電変換素子
２６  レンズ
２７，２８  レンズ鏡筒
２１  ベース部材
３２  遮光部材
１０  画像読取ユニット
１１  スキャナ装置
１４  ハウジング
３４  画像形成装置（複写機）
【図１】
2006119481.tif 000003
【図２】
2006119481.tif 000004
【図３】
2006119481.tif 000005
【図４】
2006119481.tif 000006
【図５】
2006119481.tif 000007
【図６】
2006119481.tif 000008